(57)【要約】【課題】モータ誤動作の発生を防止すると共に、モータ駆動に関して操作性に優れた魚釣用電動リールを提供する。【解決手段】本発明の魚釣用電動リールは、リール本体４に回転可能に支持されたスプール８と、このスプールを駆動するためのスプール駆動モータ２４と、このスプール駆動モータ２４のモータ出力を増減変更するための変速装置と、リール本体４のハンドル側に所定角度範囲内で回転可能に取付けられ、前記モータ出力を増減調節することが可能なモータ出力調節体４０と、リール本体４の上部側に押圧操作可能に取付けられ、モータ２４の駆動状態を切換制御する切換スイッチ４２とを具備することを特徴とする。【選択図】    図１
2004154148.tif 000002
【特許請求の範囲】
【請求項１】
リール本体に回転可能に支持されたスプールと、
前記スプールを駆動するためのスプール駆動モータと、
前記スプール駆動モータのモータ出力を増減変更するための変速装置と、
前記リール本体のハンドル側に所定角度範囲内で回転可能に取付けられ、前記モータ出力を増減調節することが可能なモータ出力調節体と、
前記リール本体の上部側に押圧操作可能に取付けられ、モータの駆動状態を切換制御する切換スイッチと、
を具備することを特徴とする魚釣用電動リール。
【請求項２】
前記モータ出力調節体は、モータの最大出力よりも小さい常用範囲内でモータ出力を増減調節し、
前記切換スイッチは、前記常用範囲を超えたモータ出力値となるようにモータの駆動状態を切換制御する仕掛けの高速回収用の切換スイッチであることを特徴とする請求項１に記載の魚釣用電動リール。
【発明の詳細な説明】
【技術分野】
【０００１】
本発明は、モータ誤動作の発生を防止すると共に、モータ駆動に関して操作性に優れた魚釣用電動リールに関する。
【背景技術】
【０００２】
一般的に魚釣用電動リールには、スプールを巻取駆動させるモータのモータ出力を調節するモータ出力調節体が設けられている。そして、このモータ出力調節体を前後方向に回転操作してモータ出力を連続的に増減変更することによって、釣場の状況（例えば、対象魚の種類、魚とのファイト、ヒット数、仕掛けの回収など）に応じた釣糸巻取操作を容易に行うことができるようになっている（例えば特許文献１参照）。
【特許文献１】特開平６−７０６０号公報
【発明の開示】
【発明が解決しようとする課題】
【０００３】
しかしながら、従来の魚釣用電動リールでは、咄嗟の状況変化への対応や不用意な手の接触或いは他の物との接触等によって、モータ出力調節体に誤って触れてモータを誤動作させてしまった場合、次のような思わぬトラブルを魚釣時に引き起こしてしまう可能性がある。例えば、棚位置に待機中の仕掛けを不必要に動かしてしまったり、好ましい巻取設定速度が途中で変化（例えば、巻取停止）したりしてしまう。更には、クラッチＯＦＦ状態での釣糸繰出中に釣糸巻取可能状態（クラッチＯＮ状態）に誤復帰してしまう。
【０００４】
また、従来の魚釣用電動リールは、モータ出力調節体を回転操作することによって、モータをＯＮ／ＯＦＦ切換制御するように構成されているため、ＯＮからＯＦＦに切り換える際のＯＦＦ部での遊びが必要となり、その遊び分だけモータＯＮ時のモータ始動が遅くなる。このため、迅速なモータ駆動操作を行うことができない。
【０００５】
更に又、モータ出力を巻上げ停止のＯＦＦ状態から最大出力まで単一の操作部材の回転操作で行なえる構成としているため、釣場の状況に応じた巻取り変速操作が行なえる利点はあるが、口切れの生じ易い魚に対する微妙な低、中速状態での一連の巻取り操作の中で、咄嗟の状況変化の対応等は、不用意にモータ出力を上げ過ぎてしまって、口切れ発生や魚を取り逃がしてしまうことがある等、実釣時の巻取り操作中に誤操作をしてしまう可能性がある等の問題がある。
【０００６】
本発明は、このような問題を解決するために成されており、その目的は、モータ誤動作の発生を防止すると共に、モータ駆動に関して操作性に優れた魚釣用電動リールを提供することにある。
【課題を解決するための手段】
【０００７】
前記課題を解決するために、本発明の魚釣用電動リールは、リール本体に回転可能に支持されたスプールと、前記スプールを駆動するためのスプール駆動モータと、前記スプール駆動モータのモータ出力を増減変更するための変速装置と、前記リール本体のハンドル側に所定角度範囲内で回転可能に取付けられ、前記モータ出力を増減調節することが可能なモータ出力調節体と、前記リール本体の上部側に押圧操作可能に取付けられ、モータの駆動状態を切換制御する切換スイッチと、を具備することを特徴とする。
【０００８】
上記構成において、モータ出力調節体は、モータの最大出力よりも小さい常用範囲内でモータ出力を増減調節し、前記切換スイッチは、前記常用範囲を超えたモータ出力値となるようにモータの駆動状態を切換制御する仕掛けの高速回収用の切換スイッチであってもよい。
【発明の効果】
【０００９】
本発明によれば、モータ誤動作の発生を防止すると共に、モータ駆動に関して操作性に優れた魚釣用電動リールを提供することができる。
【発明を実施するための最良の形態】
【００１０】
以下、本発明の一実施の形態に係る魚釣用電動リールについて、添付図面を参照して説明する。
【００１１】
図１に示すように、図中向かって右側にハンドル２が取り付けられたリール本体４の左右フレーム（図示しない）の間には、スプール軸６が軸受によって回転可能に支持されており、このスプール軸６を囲繞するようにスプール８が配置されている。
【００１２】
スプール軸６のハンドル２側には、魚釣時にハンドル２を手動で回転操作した際に、釣糸に対して所望の制動力を与えつつ且つ所望の回転力でスプール８を釣糸巻取方向に回転させるための釣糸巻取用駆動機構が配置されている。
【００１３】
具体的には、釣糸巻取用駆動機構において、スプール軸６と同軸上に駆動力伝達軸１０が軸受を介して回転可能に配置されており、駆動力伝達軸１０には、クラッチ機構によって軸方向にスライド自在に構成され且つスプール軸６に対して係合又は非係合させることが可能なピニオン１２が取り付けられている。
【００１４】
クラッチ機構は、ピニオン１２に形成された円周溝１２ａに常時係合しているクラッチプレート１４と、このクラッチプレート１４を軸方向にスライドさせるクラッチレバー１６とを備えており、クラッチレバー１６を切換操作してクラッチプレート１４を軸方向にスライドさせることによって、ピニオン１２をスプール軸６に対して係合又は非係合させることができるように構成されている。
【００１５】
ピニオン１２には、ハンドル軸１８に取り付けられたドライブギヤ２０が歯合しており、このドライブギヤ２０とハンドル軸１８との間には、魚釣時にスプール８の釣糸繰出方向への回転に所望の制動力を与えることが可能な周知のドラグ機構２２が配置されている。
【００１６】
また、左右フレームの間には、釣糸巻取時にスプール８を回転駆動させるスプール駆動モータ２４（以下、モータと言う）が保持されており、このモータ２４には、左フレーム方向（反ハンドル側）に延出した左側駆動軸２６、及び、右フレーム方向（ハンドル側）に延出した右側駆動軸２８が設けられている。
【００１７】
左側駆動軸２６には、モータ２４の回転運動（モータ出力）を減速する第１の減速機構３０が設けられており、一方、右側駆動軸２８には、一方向クラッチ３２が設けられている。また、スプール軸６には、第２の減速機構（図示しない）が設けられており、この第２の減速機構は、反ハンドル側に配置された連動歯車機構３６を介して第１の減速機構３０に機械的に連結されている。なお、本実施の形態では、第１及び第２の減速機構を変速装置として規定している。
【００１８】
この構成によれば、モータ２４の回転運動は、第１の減速機構３０を介して所定量だけ減速された後、連動歯車機構３６から第２の減速機構及びスプール軸６を介してスプール８に伝達され、スプール８を釣糸巻取方向に回転させる。
【００１９】
次に、上述したように構成された魚釣用電動リールを用いて魚釣を行う場合の動作を説明する。
【００２０】
まず、モータ２４の電源を切った状態において、クラッチレバー１６を介してクラッチ機構を操作して、ピニオン１２をスプール軸６に対して非係合状態とする。このとき、スプール８は、フリー回転可能な状態となり、釣糸は、仕掛け等の重量により繰り出される。
【００２１】
そして、魚の当たりがあった際、電動で釣糸を巻き取る場合、モータ２４の電源を入れると、モータ２４の回転運動（モータ出力）は、第１の減速機構３０を介して所定量だけ減速された後、連動歯車機構３６から第２の減速機構及びスプール軸６を介してスプール８に伝達され、スプール８を釣糸巻取方向に回転させる。このとき、釣糸は、図示しない釣糸案内機構を介してスプール８に均一に巻き取られる。
【００２２】
一方、ハンドル２の手動操作によって釣糸を巻き取る場合、釣糸が所定量繰り出されたときに、クラッチレバー１６を介してクラッチ機構を操作して、ピニオン１２をスプール軸６に係合させる。なお、クラッチ機構の係合動作は、ハンドル２を手動で回転操作したときに連動させて行うこともできる。
【００２３】
この状態において、ハンドル２を手動回転すると、その回転運動は、ハンドル軸１８からドラグ機構２２を介してドライブギヤ２０に伝達された後、ピニオン１２からスプール軸６を介してスプール８に伝達され、このスプール８を釣糸巻取方向に回転させる。なお、この場合も図示しない釣糸案内機構が作動して、釣糸はスプール８に均一に巻き取られる。
【００２４】
また、本実施の形態の魚釣用電動リールには、図１及び図２に示すように、リール本体４に手動操作可能に設けられ且つモータ２４のモータ出力（回転運動）を連続的に増減調節することが可能なモータ出力調節体４０と、このモータ出力調節体４０に手動操作可能に設けられ且つモータ２４をＯＮ／ＯＦＦ切換制御することが可能な切換スイッチ４２とが設けられており、モータ出力調節体４０及び切換スイッチ４２は、釣り人がリール本体４を握持した状態で、（例えば、指で）選択的に且つ個別に手動操作可能に構成されている。
【００２５】
前記モータ出力調節体４０は、例えば特開平６−７０６０号に開示されているように、その操作量に応じて抵抗値を可変させるポテンショメータ（図示せず）と接続されており、その抵抗変化に応じたパルス信号のデューティ比としてモータ２４への駆動電流通電時間率を可変制御してモータ出力を制御するようになっている。この場合、本実施の形態では、モータ出力は、モータ出力調節体４０によってゼロから最大値まで連続的に増減調節されるように構成されている。
【００２６】
また、モータ出力調節体４０は、リール本体４のハンドル側で且つ前方側（釣糸繰出方向側）上部に回転可能に取り付けられており、このモータ出力調節体４０を所定角度範囲内で回転操作することによって、モータ出力をゼロから最大値まで増減調節できるようになっている。
【００２７】
具体的には、モータ出力調節体４０には、操作部４０ａが突設されており、釣り人がリール本体４を握持した状態で、操作部４０ａを（例えば、指で）手動操作することによって、モータ出力調節体４０を矢印Ｒ方向（図３（ｂ）参照）に回転操作できるようになっている。そして、このようにモータ出力調節体４０を回転操作すると、その回転方向及び回転量に応じてモータ出力を増減調節することが可能となる。
【００２８】
切換スイッチ４２は、モータ出力調節体４０（具体的には、操作部４０ａ）の頂部に設けられており、この切換スイッチ４２を押圧操作することによって、モータ２４をＯＮ／ＯＦＦ切換制御（通電／非通電切換制御）することができるようになっている。
【００２９】
具体的には、釣り人がリール本体４を握持した状態で、（例えば、指で）切換スイッチ４２を矢印Ｆ方向（図４（ａ）参照）に押圧操作することによって、モータ２４を連続的且つ瞬時にＯＮ／ＯＦＦ切換制御することができるようになっている。例えば現状においてモータ２４が通電されていないＯＦＦ状態にあるとすると、切換スイッチ４２を矢印Ｆ方向に押圧操作することによって、瞬時にＯＦＦからＯＮにモータ２４を切り換えることができ、その状態（ＯＮ状態）においてモータ出力調節体４０を回転操作した後（或いは、回転操作中）、再び切換スイッチ４２を矢印Ｆ方向に押圧操作するれば、瞬時にＯＮからＯＦＦにモータ２４を切り換えることができる。そして、このように切換スイッチ４２を押圧操作すると、それに連動して接点４４と基板４６との接触（モータＯＮ）又は非接触（モータＯＦＦ）が連続的且つ瞬時に繰り返され、その結果、モータ２４を連続的且つ瞬時にＯＮ／ＯＦＦ切換制御することが可能となる。
【００３０】
ここで、モータ出力調節体４０と切換スイッチ４２の操作プロセスについて簡単に説明する。
【００３１】
モータＯＦＦ状態において、切換スイッチ４２を押圧操作すると、瞬時にモータＯＮ状態に切り換えられ、その後、モータ出力調節体４０を回転操作することによって、モータ出力を増減調節することができる。そして、切換スイッチ４２を再び押圧操作すると、モータＯＮ状態からモータＯＦＦ状態に瞬時に切り換えられ、その状態では、モータ出力調節体４０を回転操作しても、モータ２４が誤動作することは無い。
【００３２】
このように本実施の形態によれば、モータ出力の増減調節とモータ２４のＯＮ／ＯＦＦ切換制御とを別々の操作プロセスを経て行うように構成したことによって、咄嗟の状況変化への対応や不用意な手の接触或いは他の物との接触等によって、モータ出力調節体４０に誤って触れた場合でも、切換スイッチ４２によりモータＯＦＦ状態に切り換えられている状態では、モータ２４が誤動作することは無い。
【００３３】
更に、モータ出力調節体４０とは別に切換スイッチ４２を設けたことにより、モータ２４を瞬時にＯＮ／ＯＦＦ切換制御することができる。このため、従来技術のようなＯＮからＯＦＦに切り換える際のＯＦＦ部での遊びが無くなり、その結果、モータＯＮ時のモータ始動を迅速に行うことができる。
【００３４】
なお、本発明は、上述した実施の形態に限定されることは無く、以下のように種々変更することが可能である。
【００３５】
第１の変形例として、例えば図５に示すように、切換スイッチ４２をモータ出力調節体４０（操作部４０ａ）の側部（具体的には、ハンドル側の側部）に設けても同様の作用効果を実現することができる。
【００３６】
第２の変形例として、例えば図６に示すように、切換スイッチ４２をモータ出力調節体４０近傍のリール本体４の上部側に設けても良い。この例において、切換スイッチ４２の押圧操作方向Ｆは、リール本体４の上部側から下部側へ向う方向に設定されている。
【００３７】
第３の変形例として、例えば図７に示すように、切換スイッチ４２をモータ出力調節体４０近傍のリール本体４の上部側に設けると共に、その切換スイッチ４２の押圧操作方向Ｆをリール本体４の側部方向（例えば、スプール軸６に平行する方向）に設定しても良い。
【００３８】
第４の変形例として、例えば図８に示すように、切換スイッチ４２をモータ出力調節体４０近傍のリール本体４の側部に設けても良い。この例において、切換スイッチ４２の押圧操作方向Ｆは、リール本体４の側部方向（例えば、スプール軸６に平行する方向）に設定されている。
【００３９】
第５の変形例として、例えば図９に示すように、切換スイッチ４２を別途設ける変わりに、切換スイッチ４２の電気的構成をモータ出力調節体４０に組み込んで、そのモータ出力調節体４０自体を矢印Ｆ方向に押圧操作することによって、モータ２４をＯＮ／ＯＦＦ切換制御するように構成しても良い。
【００４０】
上述した実施の形態並びに第１乃至第５の変形例では、モータ出力調節体４０をリール本体４のハンドル側で且つ前方側（釣糸繰出方向側）上部に回転可能に取り付けた場合を想定しているが、これに限定されることは無く、第６の変形例として、例えば図１０に示すように、モータ出力調節体４０をリール本体４のハンドル側で且つ後方側（釣糸巻取方向側）上部に回転可能に取り付けても同様の作用効果を実現することができる。
【００４１】
また、上述した実施の形態並びに第１乃至第６の変形例では、切換スイッチ４２（第５の変形例では、モータ出力調節体４０自体）を機械的に手動操作することによってモータ２４のＯＮ／ＯＦＦ切換制御するようになっているが、これに限定されることは無く、例えばモータ出力調節体４０全体を静電式のタッチセンサ（モータ出力調節体４０を手で触ると電気が手に流れ、モータ出力調節体４０に接続された電気回路が静電量を感知する静電容量センサ）としても良い。
【００４２】
この構成では、モータ出力調節体４０に触れた瞬間にモータＯＮになり、その状態で、モータ出力調節体４０を手動操作してモータ出力の増減調節を行う。そして、モータＯＦＦにする際には、モータ出力調節体４０を出力ゼロに戻した後に手を離せば、その瞬間にモータＯＦＦになる。
【００４３】
また、本発明は、上述した実施の形態や変形例以外にも、以下のように構成することが可能である。
【００４４】
上述した実施の形態では、モータ出力調節体４０は、そのモータ出力をゼロから最大値まで連続的に増減調節するように構成されていたが、常用範囲内（例えばゼロから７０％）で連続的に増減調節するように構成しても良い。すなわち、口切れしやすい対象魚が掛かった場合、上述した構成では、モータ出力調節体４０を最大出力位置まで回動操作すると、口切れ等によって掛かった魚をバラしてしまうことが有り得る。従って、モータ出力調節体４０を、モータ出力を所定範囲内（上記のような常用範囲内）で連続的に増減調節できるように構成しておけば、口切れしやすい対象魚が掛かった際、モータ出力調節体４０を最大出力位置まで回動操作しても、口切れ等によって掛かった魚をバラすようなことがなくなり、操作性の向上が図れる。もちろん、上記した常用範囲は任意に設定することが可能である。
【００４５】
そして、このように構成した場合、上述した切換スイッチ４２は、上記実施の形態と同様、モータ２４をＯＮ／ＯＦＦ切換制御するように構成しても良いが、上記の常用範囲を超えたモータ出力（例えば最大値）となるように、モータの駆動状態を切換制御するように構成するのが好ましい。このような構成によれば、魚が掛かっていない状態では、切換スイッチ４２を操作してモータ出力を最大値にすることで仕掛けを高速回収することができる等、より操作性の向上が図れるようになる。
【図面の簡単な説明】
【００４６】
【図１】本発明の一実施の形態に係る魚釣用電動リールの全体の構成を示す図。
【図２】図１の魚釣用電動リールをハンドル側から見た側面図。
【図３】図１の魚釣用電動リールに設けられたモータ出力調節体及び切換スイッチの配置構成を示す図であって、（ａ）は、正面図、（ｂ）は、側面図。
【図４】（ａ）は、図１の魚釣用電動リールに設けられた切換スイッチの電気回路構成を示す図、（ｂ）は、モータ出力調節体及び切換スイッチの側面図。
【図５】本発明の第１の変形例に適用したモータ出力調節体及び切換スイッチの配置構成を示す図であって、（ａ）は、正面図、（ｂ）は、側面図。
【図６】本発明の第２の変形例に適用したモータ出力調節体及び切換スイッチの配置構成を示す図であって、（ａ）は、正面図、（ｂ）は、側面図。
【図７】本発明の第３の変形例に適用したモータ出力調節体及び切換スイッチの配置構成を示す図であって、（ａ）は、正面図、（ｂ）は、側面図。
【図８】本発明の第４の変形例に適用したモータ出力調節体及び切換スイッチの配置構成を示す図であって、（ａ）は、正面図、（ｂ）は、側面図。
【図９】（ａ）は、本発明の第５の変形例に適用したモータ出力調節体の構成を示す図であって、（ｂ）は、モータ出力調節体自体を押圧操作している状態を示す図。
【図１０】本発明の第６の変形例に係る魚釣用リールの全体図。
【符号の説明】
【００４７】
４  リール本体
８  スプール
２４  スプール駆動モータ
４０  モータ出力調節体
４２  切換スイッチ
【図１】
2004154148.tif 000003
【図２】
2004154148.tif 000004
【図３】
2004154148.tif 000005
【図４】
2004154148.tif 000006
【図５】
2004154148.tif 000007
【図６】
2004154148.tif 000008
【図７】
2004154148.tif 000009
【図８】
2004154148.tif 000010
【図９】
2004154148.tif 000011
【図１０】
2004154148.tif 000012